(57)【要約】【課題】ヒンジ部の大型化を防いで、全体として小型にすることができる情報処理装置を提供する。【解決手段】本発明の情報処理装置１１は、受け部３１を有する本体ユニット１２と、表示ユニット１３と、表示ユニット１３に設けられ受け部３１に引っ掛かるラッチ２３とを具備する。ラッチ２３は、ラッチ本体３２と、このラッチ本体３２の内部に設けられた電線３６と、第１のコネクタ３７とを有する。第１のコネクタ３７は、電線３６に接続するようにラッチ本体３２の内部に位置する基端３７Ａとこの基端３７Ａと反対側に位置するとともにラッチ本体３２の外に露出する先端３７Ｂとを含んでいる。受け部３１は、ラッチ２３が引っ掛かったときに第１のコネクタ３７が接続される第２のコネクタ４９を有する。【選択図】図３
2007172380.tif 000002
【特許請求の範囲】
【請求項１】
受け部を有する本体ユニットと、
前記本体ユニットにヒンジ部を介して支持され、前記本体ユニットに対して閉じている第１の状態と、前記本体ユニットに対して開いている第２の状態との間で回動可能な表示ユニットと、
前記表示ユニットに設けられ、前記表示ユニットが前記第１の状態に回動されたときに前記受け部に引っ掛かるラッチと、を具備し、
前記ラッチは、ラッチ本体と、このラッチ本体の内部に設けられた電線と、前記電線に接続する第１のコネクタとを有し、
前記受け部は、前記ラッチが前記受け部に引っ掛かったときに前記第１のコネクタが接続される第２のコネクタを有することを特徴とする情報処理装置。
【請求項２】
前記第１のコネクタは、メス型であり、前記第２のコネクタは、オス型であることを特徴とする請求項１に記載の情報処理装置。
【請求項３】
前記電線は、前記表示ユニットが前記第１の状態にあるときに使用されることを特徴とする請求項１に記載の情報処理装置。
【請求項４】
前記表示ユニットは表示部を有し、
前記電線は、前記表示ユニットが前記第１の状態にあるときに、前記本体ユニットから前記表示部に電力を供給するための電力線を含んでいることを特徴とする請求項１に記載の情報処理装置。
【請求項５】
前記表示ユニットは表示部を有し、
前記電線は、前記表示ユニットが前記第１の状態にあるときに、表示データを前記本体ユニットから前記表示部に供給するための信号線を含んでいることを特徴とする請求項１記載の情報処理装置。
【請求項６】
前記表示ユニットは、アンテナと、このアンテナで受信した受信信号を増幅するための増幅器とを有し、
前記電線は、前記増幅器に接続されて、前記増幅器の電源をオンオフする信号を前記本体ユニットから前記増幅器に送信するための信号線を含んでいることを特徴とする請求項１に記載の情報処理装置。
【請求項７】
前記本体ユニットは、前記増幅器の電源をオンオフ制御する電源コントローラと、前記表示ユニットの第１の状態を検出する検出部と、を有し、
前記増幅器は、前記検出部によって前記表示ユニットが前記第１の状態にあることが検出された場合に前記電源コントローラによって電源オンとされ、前記表示ユニットが前記第１の状態から前記第２の状態に至る際に前記複数の第１のコネクタと前記複数の第２のコネクタとの接続が解除されることにより、電源オフとされることを特徴とする請求項６に記載の情報処理装置。
【請求項８】
前記表示ユニットは表示部を有し、
前記本体ユニットは、外部接続インターフェースを有し、
前記電線は、前記表示部に接続されて、前記外部接続インターフェースと前記表示部との間でデータを送受信するための信号線を含んでいることを特徴とする請求項３に記載の情報処理装置。
【請求項９】
前記電線は、前記表示ユニットに接続されて、前記表示ユニットを前記本体ユニットに対してアースするためのグランド線を含んでいることを特徴とする請求項１ないし請求項８のいずれかに記載の情報処理装置。
【発明の詳細な説明】
【技術分野】
【０００１】
本発明は、例えば表示ユニット等の開放を抑止するためのラッチを備えた情報処理装置に関する。
【背景技術】
【０００２】
例えばポータブルコンピュータとして、ディスプレイを閉じる動作を利用して、ディスプレイへの電力供給をＯＦＦにするものがある。このポータブルコンピュータは、本体ユニットと、ディスプレイを有する表示ユニットと、本体ユニットと表示ユニットとの間に設けられ表示ユニットを本体ユニットに対して回動させるヒンジ部と、表示ユニットの開放を抑止するラッチと、ラッチによって回動するレバーと、レバーによって作動されるディスプレイのスイッチと、を備えている。
【０００３】
このポータブルコンピュータでは、表示ユニットを閉じる際にラッチがレバーを回動させる。レバーの回動により、レバーがスイッチを押し込んで、ディスプレイの電力供給をＯＦＦにするようになっている（例えば、特許文献１参照）。
【０００４】
通常、ポータブルコンピュータは、本体ユニットから表示ユニットに電力を供給する電力線と、本体からディスプレイに制御信号を送る信号線などを備えている。これらの電力線や信号線は、ヒンジ部の内部を通って、本体からディスプレイに至るように配線されることが多い。
【特許文献１】特開２０００−１３７５４９号公報
【発明の開示】
【発明が解決しようとする課題】
【０００５】
従来のポータブルコンピュータでは、ヒンジ部の内部に電力線や信号線が集中するため、ヒンジ部が大きくなってしまう問題がある。このようにヒンジ部が大きくなることによって、ポータブルコンピュータ全体としても大型化してしまう問題がある。
【０００６】
本発明の目的は、ヒンジ部の大型化を防いで、全体として小型にすることができる情報処理装置を提供することにある。
【課題を解決するための手段】
【０００７】
前記目的を達成するため、本発明の一つの形態に係る情報処理装置は、受け部を有する本体ユニットと、前記本体ユニットにヒンジ部を介して支持され、前記本体ユニットに対して閉じている第１の状態と、前記本体ユニットに対して開いている第２の状態との間で回動可能な表示ユニットと、前記表示ユニットに設けられ、前記表示ユニットが前記第１の状態に回動されたときに前記受け部に引っ掛かるラッチと、を具備し、前記ラッチは、ラッチ本体と、このラッチ本体の内部に設けられた電線と、前記電線に接続する第１のコネクタとを有し、前記受け部は、前記ラッチが前記受け部に引っ掛かったときに前記第１のコネクタが接続される第２のコネクタを有する。
【発明の効果】
【０００８】
本発明によれば、電線をラッチおよび受け部に通すことにより、ヒンジ部の内部に電線を通すことなく、本体ユニットから表示ユニットに電線を引き回すことができる。これにより、ヒンジ機構の内部に電線が集中してしまうのを防いで、情報処理装置を小型にすることができる。
【発明を実施するための最良の形態】
【０００９】
以下に、図１から図４を参照して、本発明の情報処理装置の第１の実施形態について説明する。
【００１０】
図１または図２に示すように、情報処理装置の一例であるポータブルコンピュータ１１は、本体ユニット１２と、表示ユニット１３と、本体ユニット１２と表示ユニット１３との間に設けられるヒンジ部１４とを備えている。ヒンジ部１４は、本体ユニット１２に対して、表示ユニット１３を回動可能に支持している。すなわち、表示ユニット１３は、図１に示すように、本体ユニット１２に対して閉じている第１の状態Ｓ１と、図２に示すように、本体ユニット１２に対して開いている第２の状態Ｓ２との間で、回動できるようになっている。
【００１１】
表示ユニット１３は、第１の筐体１９と、表示部であるメインディスプレイ２０と、表示部であるサブディスプレイ２１と、を備えている。表示ユニット１３は、表示ユニット１３を本体ユニット１２に対して閉じた第１の状態Ｓ１に保持するためのラッチ２３を備えている。
【００１２】
サブディスプレイ２１は、表示ユニット１３が第１の状態Ｓ１にあるときに表示ユニット１３上において目視が可能な位置、例えば第１の筐体１９の上面２４に設けられている。
【００１３】
本体ユニット１２は、第２の筐体２９と、第２の筐体２９の上面に設けられたキーボード３０を備えている。本体ユニット１２は、表示ユニット１３のラッチ２３を引っ掛けるための受け部３１を備えている。
【００１４】
図３に示すように、ラッチ２３は、ラッチ本体３２と、ラッチ本体３２の内部に設けられた電線である計３組の第１の電線３６と、第１の電線３６にそれぞれ接続した基端３７Ａを有する３組の第１のコネクタ３７と、ラッチ本体３２を摺動可能に支持する支持ブロック４７と、ラッチ本体３２を閉じる方向に付勢するばね４３と、を備えている。図１に示すように、ラッチ２３は、ラッチ解除部３９を備えている。
【００１５】
３組の第１のコネクタ３７は、それぞれメス型のコネクタである。第１のコネクタ３７は、基端３７Ａと反対側に位置する先端３７Ｂを有し、先端３７Ｂを介してラッチ本体３２の外部に面している。
【００１６】
受け部３１は、ラッチ本体３２が引っ掛かる第２の筐体２９の縁部４８と、第１のコネクタ３７に対応する３組の第２のコネクタ４９と、第２のコネクタ４９が設けられた基板５０と、基板５０を支持する板ばね５１と、第２のコネクタ４９に接続した計３組の第２の電線５２と、を備えている。３組の第２のコネクタ４９は、それぞれオス型のコネクタで構成されている。ラッチ本体３２が受け部３１に引っ掛かった際には、板ばね５１が下方から第２のコネクタ４９を第１のコネクタ３７に向けて付勢することにより、３組の第１のコネクタ３７と３組の第２のコネクタ４９とがそれぞれ接続するようになっている。ラッチ２３が受け部３１に引っ掛かった状態では、第１のコネクタ３７と第２のコネクタ４９との接続が維持される。
【００１７】
図４を参照して、ポータブルコンピュータ１１の電気的な接続関係について説明する。表示ユニット１３は、テレビ用のアンテナ５８と、アンテナ５８に接続した増幅器５９とを備えている。計３本の第１の電線３６は、増幅器５９に接続されている。計３本の第１の電線３６は、表示ユニット１３が第１の状態Ｓ１にあるときに使用されるもので構成されている。
【００１８】
具体的には、計３組の第１の電線３６は、例えば、増幅器５９に電力を供給する第１の配線６３と、増幅器５９の電源スイッチのオンオフを制御する信号を送信するための第１の信号線６４と、表示ユニット１３を本体ユニット１２に対してアースするためグランド線であるの第１のグランド線６５と、を含んでいる。第１の電線３６は、表示ユニット１３が第１の状態Ｓ１にあるときに使用されるもので構成されている。なお、第１の配線６３は、実際には、電流の行きと戻りのために２本で構成されるものの、図４では１本で示している。
【００１９】
一方、本体ユニット１２は、計３組の第２の電線５２に接続したＥＣ７０と、ＥＣ７０に接続した電源コントローラ７４と、電源コントローラ７４に接続したバッテリ７１と、表示ユニット１３が第１の状態Ｓ１にあるか第２の状態Ｓ２にあるかを感知できる検出部であるセンサ７２と、アンテナ５８と接続したテレビチューナー７３と、を備えている。ＥＣ７０は、ポータブルコンピュータ１１の各構成装置の電源をオンオフするためのマイコンである。
【００２０】
計３組の第２の電線５２は、第１の電線３６に対応して、増幅器５９に電力を供給するための第２の配線７７と、増幅器５９の電源スイッチのオンオフを制御する信号を送信するための第２の信号線７８と、表示ユニット１３を本体ユニット１２に対してアースするための第２のグランド線７９とを含んでいる。第２のグランド線７９は、例えば、第２の筐体２９の底面内壁にメッキ状に形成されたグランド層８０に接続されている。
【００２１】
アンテナ５８とテレビチューナー７３とは、ヒンジ部１４の内部を通るアンテナケーブル８１で接続されている。
【００２２】
続いて図４を参照して、電源コントローラ７４とＥＣ７０によるポータブルコンピュータ１１の制御について説明する。この制御では、表示ユニット１３の位置によって増幅器５９の電源のオンオフを行い、信号を増幅して送信したり、信号を増幅しないで送信したりするものである。
【００２３】
図２に示すように、表示ユニット１３が本体ユニット１２に対して開いている第２の状態Ｓ２にある場合には、アンテナ５８が高い位置にあるので、電波の受信効率が良い状態にある。この場合、アンテナ５８で受信する信号が強いため、特に増幅器５９において増幅しないでもテレビチューナー７３において信号を検出できる。すなわち、この状態では、電源コントローラ７４およびＥＣ７０は、増幅器５９の電源をオフとしている。
【００２４】
そして、図１に示すように、表示ユニット１３が本体ユニット１２に対して閉じている第１の状態Ｓ１にある場合には、アンテナ５８の位置が低く、電波の受信効率が悪くなるため、電源コントローラ７４およびＥＣ７０は増幅器５９の電源をオンして、受信した信号を増幅する制御を行う。
【００２５】
具体的には、表示ユニット１３を第２の状態Ｓ２から第１の状態Ｓ１にすると、第１の状態Ｓ１では、表示ユニット１３のラッチ２３が本体ユニット１２の受け部３１に引っ掛かって、第１のコネクタ３７と第２のコネクタ４９とが接続する。この場合、第１の電線３６と第２の電線５２とは、電気的に接続されている。この状態において、電源コントローラ７４およびＥＣ７０は、センサ７２によって表示ユニット１３が第１の状態Ｓ１にあることを感知する。続いて、電源コントローラ７４およびＥＣ７０は、第１の配線６３と第２の配線７７とを介して増幅器５９に電力を供給する。ＥＣ７０は、第１の信号線６４と第２の信号線７８とを介して増幅器５９の電源スイッチをオンにする信号を送信する。
【００２６】
前記信号を受信した増幅器５９は、電源スイッチがオンとなって、アンテナ５８から送られる信号を増幅することができる。このようにして、信号が増幅され、増幅された信号がアンテナケーブル８１を通ってテレビチューナー７３に送信される。テレビチューナー７３がサブディスプレイ２１に映像信号を出力して、テレビ画像をサブディスプレイ２１上に表示する。
【００２７】
一方、表示ユニット１３を第１の状態Ｓ１から第２の状態Ｓ２にする際には、第１のコネクタ３７と第２のコネクタ４９との接続が解除される。この接続解除により第１の配線６３と第２の配線７７との電気的な接続、および第１の信号線６４と第２の信号線７８との電気的な接続が解除される。また、センサ７２によって表示ユニット１３が閉じている第１の状態Ｓ１から開いた第２の状態Ｓ２になったことを感知した電源コントローラ７４とＥＣ７０は、増幅器５９に対して電力の供給をストップする。このように、第１のコネクタ３７と第２のコネクタ４９との物理的な接続解除と電力の供給停止とにより、増幅器５９の電源スイッチがオフにされる。これにより、増幅器５９によって増幅がなされなかった信号が、アンテナ５８からテレビチューナー７３に送信される。
【００２８】
以上が、本発明の情報処理装置の第１の実施形態である。第１の実施形態によれば、ラッチ本体３２の内部に第１の電線３６と第１のコネクタ３７とが設けられ、受け部３１に第２のコネクタ４９が設けられている。こうして、本来ヒンジ部１４の内部に通すための電線をラッチ２３および受け部３１に通すことができ、ヒンジ部１４の内部に電線が集中してしまうのを防ぐことができる。これにより、ヒンジ部１４を小型にでき、ポータブルコンピュータ１１全体としても小型に構成することができる。
【００２９】
ラッチ２３に設けられる第１のコネクタ３７は、メス型のコネクタで構成され、受け部３１に設けられる第２のコネクタ４９は、オス型のコネクタで構成されている。このため、第１のコネクタ３７がラッチ本体３２の外部に突出することがなく、ポータブルコンピュータ１１の使用中に指などを引っ掛けて、第１のコネクタ３７が破損してしまうことを防止できる。
【００３０】
複数の電線である第１の電線３６は、表示ユニット１３が第１の状態Ｓ１にあるときに使用されるもので構成されている。このため、第１の状態Ｓ１でのみ使用する電線に関して、ヒンジ部１４の内部を通す必要がなく、ヒンジ部１４に配線が集中してしまうことを回避できる。これにより、ポータブルコンピュータ１１を小型にすることができる。
【００３１】
複数の電線である第１の電線３６は、増幅器５９に接続し、増幅器５９の電源をオンオフする信号を本体ユニット１２から増幅器５９に送信可能な第１の信号線６４を含んでいる。このため、表示ユニット１３が第１の状態Ｓ１にある場合のみ使用する第１の信号線６４について、ヒンジ部１４の内部を通さないで配線することができる。
【００３２】
この増幅器５９は、センサ７２を介して表示ユニット１３が第１の状態Ｓ１にあることを感知した電源コントローラ７４とＥＣ７０によって電源オンとされ、表示ユニット１３が第１の状態Ｓ１から第２の状態Ｓ２に至る際に第１のコネクタ３７と第２のコネクタ４９との接続が解除されることにより電源がオフとされる。これにより、必要な場合のみ増幅器５９の電源のオンにして信号の増幅を行う制御を簡単に行うことができる。
【００３３】
さらに、複数の電線である第１の電線３６には、第１のグランド線６５が含まれるため、第１の配線６３と第１の信号線６４とに対して、第１のグランド線６５を近接して設けることができる。これにより、第１の配線６３と第１の信号線６４とから輻射される電磁波を第１のグランド線６５によって吸収することができる。
【００３４】
なお、本実施形態では、本体ユニット１２に第２の電線５２が設けられているが、第２の電線５２を省いて、第２のコネクタ４９が設けられた基板５０と同一の基板上に、ＥＣ７０などを設けても良い。また、ラッチ本体３２の内部に設けられた第１の電線３６として、メインディスプレイ２０やサブディスプレイ２１に連なる信号線を含ませても良い。信号線により、本体ユニット１２から制御信号をメインディスプレイ２０やサブディスプレイ２１に送信できる。
【００３５】
次に、図５を参照して、本発明の情報処理装置一例であるポータブルコンピュータ１１の第２の実施形態について説明する。第２の実施形態のポータブルコンピュータ１１は、第１の電線３６に含まれる電線の種類と、第１の電線３６に対応する第２の電線５２に含まれる電線の種類とが第１の実施形態と異なっているが、他の部分は第１の実施形態と共通している。このため、本実施形態のポータブルコンピュータ１１において、第１の実施形態のポータブルコンピュータ１１と共通の箇所には第１の実施形態と共通の符号を付して説明を省略する。
【００３６】
第２の実施形態では、表示ユニット１３は、サブディスプレイ２１を制御するためのＬＣＤコントローラ９０と、ラッチ２３とを備えている。ラッチ２３は、ラッチ本体３２と、ラッチ本体３２の内部に一端が埋め込まれた複数の電線である計４組の第１の電線３６と、を備えている。
【００３７】
計４組の第１の電線３６は、例えば、サブディスプレイ２１に電力を供給する第１の電力線９１と、サブディスプレイ２１を本体ユニット１２に対してアースするためグランド線である第１のアース線９２と、外部接続インターフェースであるＵＳＢインターフェース２２とサブディスプレイ２１との間でデータを送受信するための信号線である第１のＵＳＢプラス線９３および第１のＵＳＢマイナス線９４と、を含んでいる。第１の電力線９１と第１のアース線９２とは、ＬＣＤコントローラ９０を介して表示部であるサブディスプレイ２１にそれぞれ接続している。また、第１のＵＳＢプラス線９３と第１のＵＳＢマイナス線９４とは、ＬＣＤコントローラ９０を介してサブディスプレイ２１にそれぞれ連なっている。
【００３８】
本体ユニット１２は、計４組の第２のコネクタ４９を含み、ラッチ２３が引っ掛かるための受け部３１と、外部接続インターフェースであるＵＳＢインターフェース２２と、ＵＳＢインターフェース２２のコントローラであるＩＣＨ９８と、サブディスプレイ２１に電源を供給するバッテリ７１と、第１の電線３６に対応した計４組の第２の電線５２とを有している。計４組の第２の電線５２は、サブディスプレイ２１に電力を供給する第２の電力線１０１と、サブディスプレイ２１を本体ユニット１２に対してアースするための第２のアース線１０２と、第２のＵＳＢプラス線１０３と、第２のＵＳＢマイナス線１０４と、を含んでいる。
【００３９】
続いて、図５を参照して、サブディスプレイ２１とＵＳＢインターフェース２２の制御について説明する。
【００４０】
図２に示すように、表示ユニット１３が第２の状態Ｓ２にある場合には、サブディスプレイ２１を使用していない。このため、サブディスプレイ２１は電源をオフした状態になっている。
【００４１】
表示ユニット１３を第２の状態Ｓ２から図１に示す第１の状態Ｓ１にする際には、サブディスプレイ２１が上側に位置するようになる。ラッチ２３が受け部３１に引掛かって第１のコネクタ３７が第２のコネクタ４９に接続すると、第１の電力線９１と第２の電力線１０１を介してバッテリ７１からＬＣＤコントローラ９０に電力が供給される。これによって、ＬＣＤコントローラ９０は、サブディスプレイ２１に電力を供給できる。
【００４２】
また、ＵＳＢインターフェース２２は、第１のコネクタ３７と第２のコネクタ４９とが接続することにより、サブディスプレイ２１に接続する。この接続状態において、第１、第２のＵＳＢプラス線９３、１０３と第１、第２のＵＳＢマイナス線９４、１０４とにより、ＵＳＢインターフェース２２は、外部装置から送られたデータを、ＩＣＨ９８を介してサブディスプレイ２１に送ることができる。この外部装置から送られるデータとしては、例えば、電子メールの受信信号がある。この場合、電子メールの受信信号を受けたＬＣＤコントローラ９０は、電子メールを受信した旨をサブディスプレイ２１に表示する。
【００４３】
再び表示ユニット１３を第１の状態Ｓ１から第２の状態Ｓ２にする場合には、第１のコネクタ３７と第２のコネクタ４９との接続が解除され、ＬＣＤコントローラ９０に電力が供給されなくなる。これによって、サブディスプレイ２１の電源をオフにすることができる。
【００４４】
以上が、ポータブルコンピュータ１１の第２の実施形態である。第２の実施形態によれば、複数の電線である第１の電線３６は、本体ユニット１２からサブディスプレイ２１に電力を供給するための第２の電力線１０１を含んでいる。このため、表示ユニット１３が第１の状態Ｓ１にある場合のみ使用する第１の信号線６４について、ヒンジ部１４の内部を通すことなく、配線することができる。
【００４５】
表示部であるサブディスプレイ２１は、表示ユニット１３が閉じている第１の状態Ｓ１にあるときに、目視が可能な上面２４に設けられている。このため、サブディスプレイ２１を第１の状態Ｓ１でのみ使用可能とし、第２の状態Ｓ２では使用できないようにすることができる。
【００４６】
また、複数の電線である第１の電線３６は、ＵＳＢインターフェース２２との間でデータを送受信するための第１のＵＳＢプラス線９３および第１のＵＳＢマイナス線９４を含んでいる。このため、外部装置から送られたデータを、ＵＳＢインターフェース２２を介して、サブディスプレイ２１に送ることができる。さらに、複数の電線である第１の電線３６には、第１のアース線９２が含まれるため、第１のＵＳＢプラス線９３および第１のＵＳＢマイナス線９４に対して、第１のアース線９２を近接して設けることができる。これにより、ＵＳＢ２．０の高速インターフェースから発信される不要輻射である電磁波を第１、第２のグランド線７９によって吸収できる。
【００４７】
本発明の情報処理装置は、上記実施形態に示したポータブルコンピュータ１１用に限らず、例えば携帯情報端末のようなその他の情報処理装置に対しても実施可能である。また、本実施形態では、表示ユニット１３がヒンジ機構の軸方向には回転しないようになっているが、表示ユニット１３がヒンジ部１４の軸を中心に回転するタブレットタイプのポータブルコンピュータに対しても本発明を適用することが可能である。
【００４８】
また、本実施形態では、外部接続インターフェースとしてＵＳＢインターフェース２２を利用しているが、Ｄ−ｓｕｂコネクタやＩＥＥＥ１３９４コネクタ等の他の外部接続インターフェースであってもよい。
【図面の簡単な説明】
【００４９】
【図１】本発明の第１の実施形態に係るポータブルコンピュータにおいて表示ユニットが第１の状態にある場合を示す斜視図。
【図２】図１に示すポータブルコンピュータにおいて表示ユニットが第２の状態にある場合を示す斜視図。
【図３】図１に示すポータブルコンピュータのラッチと受け部を示す断面図。
【図４】図１に示すポータブルコンピュータの電気的な接続を示す系統図。
【図５】本発明の第２の実施形態に係るポータブルコンピュータの電気的な接続を示す系統図。
【符号の説明】
【００５０】
１１…ポータブルコンピュータ、１２…本体ユニット、１３…表示ユニット、２０…メインディスプレイ、２１…サブディスプレイ、２２…ＵＳＢインターフェース、２３…ラッチ、３１…受け部、３６…第１の電線、３７…第１のコネクタ、４９…第２のコネクタ、５８…アンテナ、５９…増幅器、６４…第１の信号線、６５…第１のグランド線、７０…ＥＣ、７１…バッテリ、７２…センサ、７４…電源コントローラ、９１…第１の電力線、９２…第１のアース線、９３…第１のＵＳＢプラス線、９４…第１のＵＳＢマイナス線
【図１】
2007172380.tif 000003
【図２】
2007172380.tif 000004
【図３】
2007172380.tif 000005
【図４】
2007172380.tif 000006
【図５】
2007172380.tif 000007